(57)【要約】【課題】タワーノズル１６の噴射口から噴射される洗浄水の噴射反力は回転中心から非常に近い距離で発生するため、発生する回転モーメントが小さく、洗浄ノズル７の回転のためだけに噴射される洗浄水が多くなり、食器に噴射する洗浄水の量が減る。【解決手段】洗浄ノズル７は、洗浄ノズル流路１５と、略中央部に鉛直上方に設けたタワーノズル１６と、弁体１９を内蔵する回転軸１４を備え、タワーノズル１６は、噴射口を設けた複数の流路を有し、弁体１９により流路を切り換えられることで、洗浄ノズル流路１５からの洗浄水の噴射により、洗浄ノズル７は回転しながら、タワーノズル１６の複数の噴射口から洗浄水を食器等の被洗浄物３に噴射することが可能になり、洗浄ノズル７とタワーノズル１６から噴射される水量を抑えても、広範囲に、効率よく洗浄性能を高めることができる。【選択図】図１
2011224234.tif 000002
【特許請求の範囲】
【請求項１】
被洗浄物を収容する洗浄槽と、洗浄水を加圧する洗浄ポンプと、前記洗浄槽内に設けられるとともに前記洗浄ポンプで加圧された洗浄水を被洗浄物に噴射する洗浄ノズルと、を備え、
前記洗浄ノズルは、略中央部に上方に延出して設けられるとともに複数の噴射口をそれぞれ有する複数のタワーノズル流路を有しているタワーノズルと、前記洗浄ノズルを前記洗浄槽に回転可能に支持する回転軸と、前記回転軸と連通するとともに複数の噴射口が設けられている洗浄ノズル流路と、を有し、
前記回転軸内に設けられる弁体は、複数の前記タワーノズル流路への洗浄水の供給を切り換える食器洗い機。
【請求項２】
前記弁体は、前記回転軸内で前記洗浄ノズルとともに回転するとともに、前記洗浄ポンプから供給される洗浄水の水圧の変化に連動して複数の前記タワーノズル流路への洗浄水供給を切り換える請求項１に記載の食器洗い機。
【請求項３】
複数の前記タワーノズル流路がそれぞれ有する複数の噴射口の総開口面積は、互いにほぼ等しい請求項１又は２に記載の食器洗い機。
【請求項４】
前記回転軸と前記タワーノズル流路との境界にあるタワーノズル流路入口は、洗浄水が前記回転軸と前記洗浄ノズル流路との境界にある洗浄ノズル流路入口より内側に形成されている請求項１〜３のいずれか１項に記載の食器洗い機。
【請求項５】
前記タワーノズルは、内部に第１及び第２のタワーノズル流路が形成され、前記第１及び第２のタワーノズル流路に設けられている複数の噴射口の総開口面積はそれぞれ、前記洗浄ノズル流路に設けられている複数の噴射口の総開口面積より小さく形成されている請求項１〜４のいずれか１項に記載の食器洗い機。
【発明の詳細な説明】
【技術分野】
【０００１】
本発明は、洗浄水を用いて食器等を洗浄する食器洗い機に関するものである。
【背景技術】
【０００２】
従来、この種の食器洗い機は、図１１に示すような構成であった（例えば、特許文献１参照）。以下、その構成について説明する。図に示すように、食器類を収納する食器かご５１と、この食器かご５１を載置する洗浄槽５２と、洗浄水を圧送する洗浄ポンプ５３と、圧送された洗浄水を洗浄槽５２の底面付近で回転しながら噴射する複数のノズル孔を有する洗浄ノズル５４と、洗浄ノズル５４の略中央部から上方に伸びた固定ノズル孔を有するタワーノズル５５と、前記洗浄ノズル５４への送水とタワーノズル５５への送水を切り換える分水切換手段５６とを設けることで、洗浄ノズル５４への送水と、タワーノズル５５への送水とを分割し、各々個別に運転できるようにしたので、洗浄ノズル５４とタワーノズル５５での洗い工程に必要な使用水量を抑えることができ、洗浄効率を向上させることができる。
【先行技術文献】
【特許文献】
【０００３】
【特許文献１】特開２００８−７３１３１号公報
【発明の概要】
【発明が解決しようとする課題】
【０００４】
しかしながら、従来の食器洗い機では、タワーノズル噴射時にも洗浄ノズルを回転させる必要があるが、タワーノズルが略中央部に設けてあるため、タワーノズルの噴射口から噴射される洗浄水の噴射反力は回転中心から非常に近い距離で発生するとともに、発生する回転モーメントも小さく、洗浄ノズルの回転のためだけに噴射される洗浄水が多くなり、食器に噴射する洗浄水の量が減るという課題があった。
【０００５】
本発明は、前記従来の課題を解決するもので、タワーノズル内に設けられる複数の流路を、洗浄ノズル内に設けられる弁体で切換えながら、常に、洗浄ノズルに設けられる噴射口からも洗浄水を噴射する構成にすることで、回転中心から離れた位置に噴射口を設けることが可能なので、その噴射の反力により洗浄ノズル自体を回転させながら、洗浄ノズル及びタワーノズルから洗浄水を噴射させることで、節水を図りながら、回転するタワーノズルにより被洗浄物を確実に洗浄することができる食器洗い機を提供することを目的とする。
【課題を解決するための手段】
【０００６】
前記従来の課題を解決するために、本発明の食器洗い機は、被洗浄物を収容する洗浄槽と、洗浄水を加圧する洗浄ポンプと、洗浄槽内に設けられるとともに洗浄ポンプで加圧された洗浄水を被洗浄物に噴射する洗浄ノズルとを備え、洗浄ノズルは、略中央部の上方に突出して設けられるタワーノズルとを備え、洗浄ノズルは、略中央部に上方に延出して設けられるとともに複数の噴射口をそれぞれ有する複数のタワーノズル流路を有しているタワーノズルと、洗浄ノズルを洗浄槽に回転可能に支持する回転軸と、回転軸と連通するとともに複数の噴射口が設けられている洗浄ノズル流路と、を有し、回転軸内に設けられる弁体は、複数の前記タワーノズル流路への洗浄水の供給を切り換えるものである。
【０００７】
これによって、洗浄ノズル内に設けた弁体で、洗浄ノズル流路とは連通していないタワーノズル内に設けた複数の流路を切換えながら、各流路に設けられた複数のタワーノズル
の噴射口から洗浄水を噴射するとともに、洗浄ノズル流路の噴射口からも、常に洗浄水を食器等の被洗浄物に噴射することが可能で、洗浄ノズル流路から噴射される水量を抑えても、洗浄ノズルの回転も確保でき、洗浄性能を高めることができる。
【発明の効果】
【０００８】
本発明の食器洗い機は、洗浄水を噴射するタワーノズルの流路を弁体で切り換えることで、広範囲に、更に洗浄槽内全体により均一に洗浄水を噴射するとともに、洗浄ノズル流路からも常に洗浄水が噴射されることで、回転中心から離れた位置に噴射口を設けることが可能になり、噴射反力による回転モーメントを大きく取れるので、洗浄ノズルの回転のためだけに噴射される洗浄水が少なくできる。したがって、節水を図りながら、回転するタワーノズルにより被洗浄物を確実に洗浄することができる。
【図面の簡単な説明】
【０００９】
【図１】本発明の実施の形態１の食器洗い機の主要断面図
【図２】同食器洗い機の洗浄ノズルを上方から見た場合の部分断面図
【図３】同食器洗い機の洗浄ノズルの一部と弁体の断面図
【図４】同食器洗い機の軸受け部分の要部斜視図
【図５】同食器洗い機の弁体の斜視図
【図６】同食器洗い機の弁体部分の斜視図
【図７】同食器洗い機の弁体を上方から見た平面図
【図８】同食器洗い機の弁体を下方から見た平面図
【図９】同食器洗い機の弁体近傍の部分断面図
【図１０】同食器洗い機の弁体が第２のタワーノズル流路入口を閉じている場合の平面図
【図１１】従来の食器洗い機の主要断面図
【発明を実施するための形態】
【００１０】
第１の発明は、被洗浄物を収容する洗浄槽と、洗浄水を加圧する洗浄ポンプと、洗浄槽内に設けられるとともに洗浄ポンプで加圧された洗浄水を被洗浄物に噴射する洗浄ノズルとを備え、洗浄ノズルは、略中央部に上方に延出して設けられるとともに複数の噴射口をそれぞれ有する複数のタワーノズル流路を有しているタワーノズルと、洗浄ノズルを洗浄槽に回転可能に支持する回転軸と、回転軸と連通するとともに複数の噴射口が設けられている洗浄ノズル流路と、を有し、回転軸内に設けられる弁体は、複数の前記タワーノズル流路への洗浄水の供給を切り換える食器洗い機である。この構成により、タワーノズル内に設けた複数の流路を、洗浄ノズル内に設けた弁体で切換えながら、常に、洗浄ノズル流路に設けた噴射口からも洗浄水を噴射することで、回転中心から離れた位置に噴射口を設けることが可能なので、その噴射の反力により洗浄ノズル自体を回転させながら、洗浄ノズル及びタワーノズルから洗浄水を噴射させることで、洗浄ノズルから噴射される水量を抑えても、洗浄ノズルの回転も確保でき、洗浄性能を高めることができる。
【００１１】
第２の発明は、第１の発明において、特に、弁体は、回転軸内で洗浄ノズルとともに回転するとともに、洗浄ポンプから供給される洗浄水の水圧の変化に連動して複数のタワーノズル流路への洗浄水供給を切り換える食器洗い機である。この構成により、回転する洗浄ノズル内に弁体を設けることが可能となり、洗浄ノズル内のタワーノズルの流路を切り換えることができる。したがって、洗浄ポンプから供給される洗浄水の水圧が高い時には、弁体が流路を切り換えると同時に、洗浄ノズルと弁体が一体となり回転し、また、水圧が低いか、もしくはない状態では、洗浄ノズルの回転が停止すると同時に、洗浄ノズル内のタワーノズル流路から弁体が離れるので、回転する洗浄ノズル内の流路を安定して切り換えることができる。
【００１２】
第３の発明は、第１又は第２のいずれか一つの発明において、特に、複数のタワーノズル流路がそれぞれ有する複数の噴射口の総開口面積は、互いにほぼ等しい食器洗い機である。この構成により、弁体が、タワーノズルの流路を切換えても、洗浄ノズル流路とタワーノズルの噴射口の開口面積は、ほぼ同じになるので、常に、洗浄ノズル流路からは、同じ噴射圧、噴射流量の洗浄水を食器等の被洗浄物に供給することができる。
【００１３】
また、タワーノズルの噴射口の総開口面積は同じだが、タワーノズルの各噴射口は、開口面積や噴射位置を変えることができるので、洗浄ノズル流路からの洗浄水の噴射圧、噴射流量は一定にして、安定した性能を維持しながら、タワーノズルから噴射される各流路の洗浄水は、噴射口の数や噴射圧の強弱、噴射量の多少を調整することで、洗浄効率を向上させることができる。
【００１４】
第４の発明は、第１〜第３のいずれか１つの発明において、特に、回転軸とタワーノズル流路との境界にあるタワーノズル流路入口は、洗浄水が回転軸と洗浄ノズル流路との境界にある洗浄ノズル流路入口より内側に形成されている食器洗い機である。この構成により、弁体を小型化することが可能となる。したがって、回転軸の小型化が可能になり、洗浄ノズルも小さくすることができる。
【００１５】
第５の発明は、第１〜第４のいずれか１つの発明において、特に、タワーノズルは、内部に第１及び第２のタワーノズル流路が形成され、第１及び第２のタワーノズル流路に設けられている複数の噴射口の総開口面積はそれぞれ、洗浄ノズル流路に設けられている複数の噴射口の総開口面積より小さく形成されている食器洗い機である。この構成により、タワーノズルに設けられた多数の噴射口を切り換えることで、タワーノズルから噴射される洗浄水と食器等の被洗浄物との接触効率が上がるので、タワーノズルからの噴射流量を少なくしても洗浄性能を確保できる。したがって、タワーノズル及び洗浄ノズルから噴射される洗浄水のトータルの流量を増やさずに、噴射口の軌跡が広範囲に設けられる洗浄ノズル流路の噴射口の噴射流量、噴射口の数を増やすことが可能となり、洗浄槽全体として、均一に効率よく洗浄することができる。
【００１６】
（実施の形態１）
図１は、実施の形態１の食器洗い機の主要断面図、図２は同食器洗い機の洗浄ノズルの平面を示す部分断面図、図３は、同食器洗い機の洗浄ノズルの一部と弁体の断面図である。
【００１７】
また、図４、図５は、同食器洗い機の要部斜視図、図６は、同食器洗い機の弁体の斜視図、図７は、同食器洗い機の弁体を上方から見た平面図、図８は、同食器洗い機の弁体を下方から見た平面図、図９は、同食器洗い機の弁体近傍の部分断面図である。
【００１８】
図１から図９において、食器洗い機本体１の内部には、被洗浄物を出し入れするための開口部を有する洗浄槽２を設け、洗浄槽２の開口部は扉で開閉される。食器等の被洗浄物３は食器かご４にセットされ、洗浄槽２内に収容する。食器かご４は、洗浄槽２内の上部及び下部にそれぞれ設けられる上段及び食器かごを有している。給水弁５は洗浄槽２に洗浄水を供給する。洗浄ポンプ６は洗浄水を加圧して、洗浄ノズル７に供給し、洗浄ノズル７より洗浄水を噴射することで被洗浄物３の洗浄を行なう。洗浄槽２の底部には、洗浄ポンプ６の吸い込み側と水路で連通した排水口８を有し、この排水口８には残さいを収集する排水フィルター９と、排水フィルター９よりも細かい開口部を持つ残さいフィルター１０が設けられている。また、洗浄水の加熱用の加熱手段１１（例えば、ＰＴＣヒータやシーズヒータ）が洗浄槽２の底面上に設けられ、洗浄槽２内の洗浄水や空気の温度を検知する温度センサ１２が洗浄槽２の底面外壁に設けられている。
【００１９】
洗浄ノズル７は、洗浄槽２の底部に設けられた回転軸受１３に嵌合され、回転軸受１３を中心に回転する。回転軸１４は、内部に流路を備えている。また、洗浄ノズル７は、回転軸１４を中心にして点対称に、洗浄ノズル流路１５を形成しており、回転軸１４の流路と洗浄ノズル流路１５との境界には、洗浄ノズル流路入口１７があり、洗浄ノズル流路入口１７を介して、連通している。洗浄ノズル流路１５は、複数の洗浄ノズル噴射口１８を有している。
【００２０】
図２に示すように、回転軸１４の流路は、略十字状のリブにより互いに隔てられている第１のタワーノズル流路入口３０及び第２のタワーノズル流路入口３１を境界として、図１、図３に示した第１のタワーノズル流路２８と第２のタワーノズル流路２９のそれぞれと連通している。第１のタワーノズル流路２８及び第２のタワーノズル流路２９は、それぞれ第１のタワーノズルの噴射口３２と第２のタワーノズルの噴射口３３を有している。第１のタワーノズルの噴射口３２と第２のタワーノズルの噴射口３３は、それぞれ複数の噴射口から構成されている。第１のタワーノズル流路入口３０及び第２のタワーノズル流路入口３１はそれぞれ、中心角が略９０度の扇状の開口部を有している。
【００２１】
次に、図４は、本実施の形態の食器洗い機の要部斜視図、具体的には回転軸１４近傍の斜視図である。
【００２２】
図４に示すように、回転軸１４は内壁下部に回転軸側係合部２６を有している。回転軸側係合部２６は螺旋状に形成され、１方向へ傾斜した複数の傾斜面２６ａと、傾斜面２６ａ同士をつなぐ鉛直面の複数の段部２６ｂを有している。
【００２３】
図５〜図９に示すように、弁体１９は、略直角の切り欠き部である開口部２０と略直角の平端部を有する閉口部２１を、中心点を対称に対角に２個づつ有しており、さらに回転軸１４内に配置されている。回転軸１４内に設けられた弁体１９は、回転中心に下方に突出する中空円筒部３４を有し、開口部２０および閉口部２１のそれぞれを中空円筒部３４を中心にして対角に有している。また、図３、図９に示したように、洗浄ノズル７の洗浄ノズル流路入口１７やタワーノズル流路入口３０、３１側には、下方に突出して支持軸２７が形成されており、中空円筒部３４に挿入されている。弁体１９が上昇する際に、支持軸２７が弁体１９の上昇動作のガイド部となる。
【００２４】
なお、支持軸２７は、断面が十字のリブで構成されてもよい。十字状のリブで構成されることで、中空円筒部３４との間に空間ができ、流入する異物を中空円筒部３４外へ排出し易くなる。
【００２５】
閉口部２１の上面には山型の上面係合部２４が形成され、閉口部２１の外周縁近傍の下面には傾斜する下面係合部２５が形成されている。
【００２６】
また、洗浄ポンプ６の運転時には、弁体１９が上昇している途中から、上面係合部２４と十字状に構成された洗浄ノズル流路入口１７もしくはタワーノズル流路入口３０、３１の流路を仕切る隔壁とが摺動することで、弁体１９が上昇しながら回動する。洗浄ポンプ６停止時には下面係合部２５と回転軸側係合部２６とが摺動することで、弁体１９が下降している途中から、下降しながら回動する。回転軸１４の軸開口部２２は、洗浄ポンプ６の吐出側と連通しているので、連続的に洗浄水を供給できるようになっている。
【００２７】
また、タワーノズル１６は、洗浄ノズル７の略中央部に、鉛直上方向に延出して設けられ、第１のタワーノズル流路入口３０と第２のタワーノズル流路入口３１は、タワーノズル１６と回転軸１４の間に設けられ、それぞれ第１のタワーノズルの噴射口３２と第２のタワーノズルの噴射口３３を備えた第１のタワーノズル流路２８と第２のタワーノズル流
路２９に連通している。ここで、各タワーノズル流路は、洗浄ノズル流路１５とは、隔壁により隔てられている。
【００２８】
上記構成において、まず、食器洗い機の基本動作について説明する。
【００２９】
食器等の被洗浄物３を食器かご４にセットして洗浄槽２に収納し、洗剤を投入した後、扉により食器洗い機本体１の開口部を閉塞し、運転を開始する。被洗浄物３の汚れを落とす洗浄工程、付着した洗剤や残さいを流すすすぎ工程、そして被洗浄物３に付着している水適を乾燥させる乾燥工程の順に実行する。
【００３０】
まず、給水弁５を動作して所定量の洗浄水を洗浄槽２に給水し、つづいて洗浄ポンプ６により洗浄水を加圧し、洗浄ノズル７から洗浄水を噴射する。この際、洗浄槽２内に設けた加熱手段１１は通電されており、洗浄水を加熱しながら洗浄工程は行われる。また、温度センサ１２は洗浄槽２の洗浄水の温度を検知しており、所定温度以上になると加熱手段１１への通電を停止する。洗浄水の循環は、排水フィルター９と残さいフィルタ１０を通過し、洗浄ポンプ６に吸いこまれ、洗浄ポンプ６より洗浄槽２の内底部に設けられる洗浄ノズル７に向けて供給される。洗浄ポンプ６より圧送された洗浄水は、回転軸１４の軸開口部２２から回転軸１４内に流入する。
【００３１】
弁体１９は、弁体１９の下面で洗浄ポンプ６の駆動により流入した洗浄水の水圧を受けて、上昇を始め、上昇途中から回転動作が加わり、第１のタワーノズル流路入口３０と弁体１９の開口部２０が一致し、同時に、第２のタワーノズル流路入口３１と弁体１９の閉口部２１が一致し、入口を閉塞する。この際、弁体１９の切り換え動作に関係なく、洗浄ノズル流路入口１７は、常に開口しており、軸開口部２２から流入した洗浄水は、洗浄ノズル流路１５にも供給される。
【００３２】
第１のタワーノズル流路入口３０から流入した洗浄水は、第１のタワーノズル流路２８を通過して、第１のタワーノズルの噴射口３２から洗浄水を被洗浄物３に噴射する。それと同時に、洗浄ノズル流路入口１７から流入した洗浄水は、洗浄ノズル流路１５を通過して、洗浄ノズル噴射口１８から洗浄水を噴射し、洗浄ノズル７は回転する。
【００３３】
所定の噴射時間が終わると、制御手段により、洗浄ポンプ６を停止させ、所定の時間後、洗浄ポンプ６を運転させ、弁体１９を、第２のタワーノズル流路入口３１を開口するように、弁体１９の開口部２０と一致させる。第２のタワーノズル流路２９を通過した洗浄水は、第２のタワーノズルの噴射口３３より、被洗浄物３に向けて噴出されるとともに、洗浄ノズル噴射口１８からも噴射される。この切換動作を所定時間繰り返す。
【００３４】
弁体１９の構成と切り換え動作、作用について説明する。図５〜図９に示すように、弁体１９の閉口部２１は略平面形状をしており、第１および第２のタワーノズル流路入口３０、３１、洗浄ノズル流路入口１７を構成する略平面形状の面Ａと弁体１９とが当接する。洗浄ポンプ６を運転させた場合、弁体１９は、回転軸１４の軸開口部２２より流入した洗浄水の水圧を閉口部２１の下面で受けて、上昇を始める。そして、図５に示す上面係合部２４の傾斜部分が、洗浄ノズル７内に各流路を隔てるために設けられた十字状の隔壁に摺動して、弁体１９は回転しながら略鉛直上方向に上昇し、図６に示すように、弁体１９の閉口部２１が第２のタワーノズル流路入口３１に対向して閉塞し、開口部２０が第１のタワーノズル流路入口３０と洗浄ノズル流路入口１７に対向して開口する。
【００３５】
所定時間洗浄ポンプ６が運転を続け、第１のタワーノズル流路入口３０と洗浄ノズル流路入口１７が開口する位置で弁体１９が面Ａに当接して固定され、第１のタワーノズル流路入口３０と、洗浄ノズル流路入口１７に洗浄水が供給される。このとき、弁体１９は洗
浄ノズル７とともに回転している。図６に示すように、洗浄水が通過する位置に設けた弁体１９の開口部２０が、所定の流路入口と一致するように、上面係合部２４を設けている。
【００３６】
上面係合部２４は回転方向に傾斜した形状になっており、弁体１９は、上昇しながら上面係合部２４の傾斜により第１の所定角度（例えば、４５度）だけ回転する。続いて、洗浄ポンプ６を一旦停止すると、弁体１９を下方から押し上げていた水圧が作用しなくなることから、弁体１９はその自重で降下する。この際、下面係合部２５は、図４に示す、回転軸１４に設けられた回転軸側係合部２６の傾斜面２６ａに沿って摺動し、弁体１９は、第２の所定角度（例えば、４５度）回転しながら降下する。弁体１９の下面係合部２５の下面と回転軸側係合部２６とが段部２６ｂで当接すると、弁体１９は停止する。
【００３７】
再び、洗浄ポンプ６を運転すると、上面係合部２４は次の嵌合部と係合し、弁体１９は回転しながら上昇し、面Ａに当接し、次の流路入口である第２のタワーノズル流路入口３１と洗浄ノズル流路入口１７に洗浄水が供給される。このように、洗浄ポンプ６を断続的に運転することで、洗浄水が流れる第１、第２のタワーノズル流路入口３０、３１を順次切り換えることができる。
【００３８】
つまり、弁体１９は、進退動作、すなわち、上下の往復運動を１回することにより９０度回動し、第１および第２のタワーノズル流路入口３０、３１を切り換える分、回転する。そして、弁体１９が２回上下の往復運動をすることにより、元の位置に戻る。したがって、弁体１９の切り換え用にモータ等のアクチュエータを別途設ける必要がないので、回転軸１４の流路内には、弁体１９以外には、洗浄水の流れを妨げるものがなく、洗浄ノズル７と弁体１９が一体となり回転することが可能になる。
【００３９】
洗浄水は、洗浄ノズル噴射口１５と各タワーノズルの噴射口から噴射され、被洗浄物３を洗浄した後、再び排水口８に戻るという経路で行われる。この際、被洗浄物３から脱落した残さい等は、洗浄水とともに残さいフィルタ１０に流入し、フィルタを通過できない大きさの残さいは残さいフィルタ１０に捕集される。
【００４０】
所定時間の洗浄工程を終えると、汚れを含む洗浄水は機外に排出され、新たに洗浄水が供給される。洗浄ポンプ６を運転し、洗浄ノズル７やタワーノズル１６から再び洗浄水を噴射して、洗剤や残菜等の付着した被洗浄物３のすすぎを行う。所定時間運転した後、洗浄水を排出し、再び洗浄水を供給するという動作を繰り返し、このすすぎ工程は連続して３回程度行う。最後に、洗浄水を食器洗い機本体１外に排出して、すすぎ工程は終了する。
【００４１】
つづいて乾燥工程を行い、所定時間運転した後、運転を終了する。
【００４２】
したがって、洗浄ノズル７は、タワーノズル１６の流路の切換とは、独立して、洗浄時間中、常に洗浄水を洗浄ノズル噴射口１８から噴射できるので、洗浄ノズル７の回転を確保できる。タワーノズル１６は、複数の流路に設けた噴射口から洗浄水を噴射することが可能となり、食器等の被洗浄物３に対して、角度、水圧、水量の異なる洗浄水を多数の噴射口から供給できるので、浸入性の悪かった部位への浸入性が良化し、これらを繰り返すことで、洗浄力のムラを解消でき、洗浄槽２全体を均一に洗浄できる。従来なら、洗浄力の弱い場所に合わせて、洗浄時間等の洗浄条件を決めていたが、洗浄力のムラをなくし洗浄力の弱部の洗浄力を高めることで、洗浄力が向上したり、洗浄時間の短縮が図れるなど、効率的な洗浄が行える。
【００４３】
また、弁体１９による流路の切り換えは、洗浄ポンプ６の駆動及び停止動作で行う実施
の形態について説明を行ったが、洗浄ポンプ６を駆動するモータの回転数を変化させることで、洗浄水の水圧を変化させて行ってもよい。弁体１９は、洗浄ポンプ６から供給される洗浄水の水圧の変化に連動してタワーノズル１６内の複数の流路への洗浄水供給を切り換えることで、回転する洗浄ノズル７内に弁体１９を設けることが可能となり、洗浄ノズル７内のタワーノズル１６の流路を切り換えることができる。したがって、洗浄ポンプ６から供給される洗浄水の水圧が高い時には、弁体１９が流路を切り換えると同時に、洗浄ノズル７と弁体１９が一体となり回転し、また、水圧が低い状態では、洗浄ノズル７の回転がほとんど停止すると同時に、洗浄ノズル７内のタワーノズル流路入口と洗浄ノズル流路入口１７から弁体１９が離れるので、回転する洗浄ノズル７内の流路を安定して切り換えることができる。
【００４４】
また、タワーノズル１６に形成されている複数の流路がそれぞれ有する複数の噴射口の総開口面積は、互いにほぼ等しい構成にしてもよい。この構成により、弁体１９が、タワーノズル１６の流路を切換えても、洗浄ノズル流路１５とタワーノズル１６の噴射口の総開口面積は、ほぼ同じになるので、常に、洗浄ノズル７の噴射口からは、同じ噴射圧、噴射流量の洗浄水を食器等の被洗浄物に供給することができる。
【００４５】
また、タワーノズル１６の噴射口の総開口面積は同じだが、タワーノズル１６に設けられた各噴射口は、それぞれ開口面積や噴射位置を変えることができるので、洗浄ノズル流路１５からの洗浄水の噴射圧、噴射流量は一定にして、安定した性能を維持しながら、タワーノズル１６からの洗浄水の噴流は、噴射口の数や噴射圧の強弱、噴射量の多少を調整することで、洗浄効率を向上させることができる。
【００４６】
また、洗浄水が回転軸１４からタワーノズル１６に供給されるときに通る第１及び第２のタワーノズル流路入口３０、３１は、洗浄水が回転軸１４から洗浄ノズル流路１５に供給されるときに通る洗浄ノズル流路入口１７より面Ａの内側、支持軸２７側に形成されていてもよい。図１０は、本実施の形態の食器洗い機の弁体１９が第２のタワーノズル流路入口を閉じている場合の平面図である。タワーノズル流路入口３０、３１が洗浄ノズル流路入口１７より面Ａの外側に形成されると、図１に示した排水フィルター９の開口面積より小さくてろ過されない異物が詰まらないように、各流路入口を通過する幅が必要になるため、面Ａの外側に設けた流路入口は、内側に設けた流路入口より周長を長くでき、流路断面の最小開口面積を大きくすることができる。開口面積が大きいと流れる洗浄水の流量が多くなり、洗浄性能が向上するが、洗浄ノズル流路１５の噴射口の方が、タワーノズル１６の噴射口に比べて、食器かご４に対して、広範囲に、噴射軌跡を有しているため、外側に洗浄ノズル流路入口１７を設けた方が、洗浄効率が上がる。また、弁体１９は、面Ａの内側に設けられた各タワーノズル流路入口のみを切り換えればいいので、開口部２０及び閉口部２１の外径を小さくすることができる。
【００４７】
この構成により、弁体１９を小型化することが可能となる。したがって、回転軸１４の小型化が可能になり、洗浄ノズル７も小さくすることができる。
【００４８】
また、タワーノズル１６は、第１及び第２のタワーノズル流路２８、２９から成り、第１及び第２のタワーノズル流路２８、２９に設けられた各複数の噴射口３２、３３の総開口面積は、洗浄ノズル噴射口１８の総開口面積より小さく設けてもよい。この構成により、タワーノズル１６に設けられた複数の流路を切り換えることで、多数の噴射口から洗浄水を噴射でき、タワーノズル１６から噴射される洗浄水と食器等の被洗浄物３との接触効率が上がるので、タワーノズル１６からの噴射流量を少なくしても洗浄性能を確保できる。本実施の形態では、洗浄ノズル噴射口１８の総開口面積を各タワーノズルの噴射口の総開口面積より大きくすることで、洗浄ノズル噴射口１８から噴射される洗浄水の流量や噴射口の数を増やすことが可能となり、洗浄ノズル７の洗浄性能も向上する。タワーノズル
１６及び洗浄ノズル流路１５から噴射される洗浄水のトータルの流量は増やさないので、使用水量を増やすことなく、洗浄槽全体として、広範囲に、均一に効率よく洗浄することができる。
【００４９】
本発明は、食器洗い機の洗浄方式に関するものであり、食器洗い機本体１の形状や大きさ、食器の配置、個々の部品の配置等を限定するものではない。
【産業上の利用可能性】
【００５０】
以上のように、本発明にかかる食器洗い機は、タワーノズル流路を切り換えることで、タワーノズルの多数の噴射口から洗浄水を噴射することが可能となり、洗浄性能を高めることができるので、食器洗い機として有用である。
【００５１】
更に、広範囲に、高密度で、洗浄槽全体の被洗浄物に均一に洗浄水を噴射することが可能となり、被洗浄物のセット性も向上することができる。
【符号の説明】
【００５２】
６  洗浄ポンプ
７  洗浄ノズル
１０  残さいフィルタ
１４  回転軸
１５  洗浄ノズル流路
１６  タワーノズル
１７  洗浄ノズル流路入口
１８  洗浄ノズル噴射口
１９  弁体
２８  第１のタワーノズル流路
２９  第２のタワーノズル流路
３０  第１のタワーノズル流路入口
３１  第２のタワーノズル流路入口
３２  第１のタワーノズルの噴射口
３３  第２のタワーノズルの噴射口
【図１】
2011224234.tif 000003
【図２】
2011224234.tif 000004
【図３】
2011224234.tif 000005
【図４】
2011224234.tif 000006
【図５】
2011224234.tif 000007
【図６】
2011224234.tif 000008
【図７】
2011224234.tif 000009
【図８】
2011224234.tif 000010
【図９】
2011224234.tif 000011
【図１０】
2011224234.tif 000012
【図１１】
2011224234.tif 000013